(57)【特許請求の範囲】
【請求項１】
箱本体を備える太陽電池用の接続箱であって、箱本体内に太陽電池セルを接続するための複数の導電片が設けられ、隣接の導電片同士はダイオードで接続され、両端にある導電片はそれぞれ母線を介して外部と接続される太陽電池用の接続箱において、
中央に位置するダイオードのチップの面積は両側に位置するダイオードのチップの面積よりも大きく、
ダイオードチップの面積差は、異なるタイプのダイオードチップを採用することにより実現されることを特徴とする太陽電池用の接続箱。
【請求項２】
請求項１に記載の太陽電池用の接続箱において、
箱本体内においてＮ＋１個導電片が設けられ、これらの導電片はＮ個のダイオードによって接続され、各ダイオードのチップの面積は、以下の条件を満たす：
Ｎが偶数の場合は、算式Ｉ及び算式ＩＩの双方を満たし、
Ｎが奇数の場合は、算式ＩＩＩ及び算式ＩＶの双方を満たし、
0006374041.tif 000003
Ｓはチップの面積であり、下付けはダイオードの順番であることを特徴とする太陽電池用の接続箱。
【請求項３】
請求項２に記載の太陽電池用の接続箱において、箱本体内に４つの導電片が設けられ、これらの導電片は３つのダイオードによって接続され、中央ダイオードのチップの面積は両端ダイオードのチップの面積よりも大きいことを特徴とする太陽電池用の接続箱。
【発明の詳細な説明】
【技術分野】
【０００１】
本発明は、太陽光発電の技術分野に属し、特に太陽電池用の接続箱に関する。
【背景技術】
【０００２】
太陽光発電の技術分野において接続箱は非常に重要な部品であり、太陽光電池セルによって生じた電流は、接続箱によって整流され合流した後に、インバーターによって直流電流が交流電流に変化されて配電網に取り込まれる。従来技術では通常、接続箱の構造は箱本体を含み、箱本体内には、太陽電池セルを接続するための複数の導電片が設けられている。導電片同士はダイオードで接続され、両端にある導電片は母線を介して外部と接続されている。
【先行技術文献】
【特許文献】
【０００３】
【特許文献１】日本特許第４６９９０６０号明細書
【発明の概要】
【発明が解決しようとする課題】
【０００４】
従来技術において接続箱の最も大きな問題は発熱である。電流が導電片、ダイオードを流れる際に、これらの部品が発熱し、温度が過度に高くなると、使用に障碍が生じる。この問題を解決するためには、通常２つの方法が採用される。１つの方法は、ダイオードチップの表面積を増加させてその束を増大させることにより、発熱を低減することである。もう１つの方法は、導電片の表面積を増加させて放熱面積を増大させることにより、放熱を促進することである。しかし、これらの方法は何れも接続箱のコストを増加させてしまう。
【０００５】
日本特許第４６９９０６０号に開示された太陽電池接続箱では、異なる導電片の温度上昇程度に基づき異なる放熱面積を設計しているため、全ての放熱面積は適切に使用されることができ、放熱効果及び製造コストの両立を好適に図ることができた。
【課題を解決するための手段】
【０００６】
本発明は、経済的に且つ合理的に発熱量を低減することのできる太陽電池用の接続箱を提供することをその目的とする。
本発明にかかる太陽電池用の接続箱は、箱本体を備え、箱本体内に太陽電池セルを接続するための複数の導電片が設けられ、隣接の導電片同士はダイオードで接続され、両端にある導電片はそれぞれ母線を介して外部と接続される太陽電池用の接続箱において、中央に位置するダイオードのチップの面積は両側に位置するダイオードのチップの面積よりも大きい構成を採用している。
【０００７】
より好ましくは、箱本体内においてＮ＋１個導電片が設けられ、これらの導電片はＮ個のダイオードによって接続され、各ダイオードのチップの面積は、以下の条件を満たす：  Ｎが偶数の場合は、算式Ｉ及び算式ＩＩの双方を満たし、
Ｎが奇数の場合は、算式ＩＩＩ及び算式ＩＶの双方を満たし、
0006374041.tif 000002
Ｓはチップの面積であり、下付けはダイオードの順番である。
【０００８】
最も一般的な構成として、箱本体内に４つの導電片が設けられ、これらの導電片は３つのダイオードによって接続され、中央ダイオードのチップの面積は両端ダイオードのチップの面積よりも大きい。
【０００９】
ダイオードチップの面積差は、異なるタイプのダイオードチップを採用することにより実現しても良いし、異なる数のダイオードチップを設けることにより実現しても良いし、チップの表面に溝を設けて面積を変化させることにより実現しても良い。
【００１０】
接続箱の温度上昇は、概ねダイオードによるものである。ダイオードの束はダイオードの発熱を影響する核心的な要素である。そのため、ダイオードチップの面積を増大させてその束を増大させることにより、発熱を低減できる。しかし、単にダイオードチップを増大させることは好ましくない。本願の出願人は大量の研究を経て、異なる位置にあるダイオードの温度上昇が異なることを発見した。全体的には、中央に位置するダイオードの温度上昇は両側に位置するダイオードよりも大きい。従って、本願の出願人は、温度が上昇しやすい部分において相対的に大きいなダイオードチップを使用して温度上昇を抑制し、温度が上昇しにくい部分において相対的に小さいダイオードチップを使用しコストを抑制する。
【００１１】
近年、Ｔｒｅｎｃｈというダイオードの加工技術があり、この技術ではチップの表面に溝を形成することにより浅溝横隔離（ｓｈａｌｌｏｗ  ｔｒｅｎｃｈ  ｉｓｏｌａｔｉｏｎ）領域を形成し、ダイオードの輪郭面積を変えずに束を増大させることができる。この方法も実質的にチップの面積を増大しているため、本発明の保護範囲内にある。
【図面の簡単な説明】
【００１２】
【図１】従来技術にかかる接続箱の構造概略図である。
【図２】実施例１の構造概略図である。
【図３】実施例２の構造概略図である。
【図４】実施例３の構造概略図である。
【図５】実施例３の中間ダイオードチップの側面図である。
【発明を実施するための形態】
【００１３】
図面を参考して本発明の実施形態を詳細に説明する。本実施例にかかる接続箱は箱本体を含み、箱本体内には、太陽電池を接続するための複数の導電片１が設けられている。隣接の導電片１同士は、ダイオード２で接続され、両端にある導電片１はそれぞれ母線を介して外部と接続されている。図１に示されるように、従来技術では、箱本体内に４つの導電片１が設けられ、これらの導電片１は、３つのダイオード２によって接続されており、全てのダイオード２の第１チップ３１の面積は等しくなっている。ダイオードチップの面積を増大させることによって発熱を低減する場合、全てのチップの面積が大きくなり、コストが増加する。
【００１４】
中央に位置するダイオードは、その温度上昇程度が両側に位置するダイオードよりも大きいため、本実施例では、中央に位置するダイオードのチップを大きくし、そのチップの面積が両側にあるダイオードのチップよりも大きくなる構成を採用している。
【００１５】
実施例１
図２に示されるように、本実施例の箱本体内には、太陽電池を接続するための４つの導電片１が設けられている。隣接の導電片１同士はダイオードで接続され、全部で３つのダイオードが接続を行っている。両端にある導電片１は母線を介して外部と接続されている。そのうち、中央ダイオード２１に設けられた第２チップ３２は、両端ダイオード２２の第１チップ３１とは異なるタイプのものである。両端ダイオード２２の第１チップ３１の面積Ｓ１は、長×幅＝１３０ｍｉｌ×１３０ｍｉｌ（約３．３ｍｍ×３．３ｍｍ）であり、面積Ｓ３は、長×幅＝１３０ｍｉｌ×１３０ｍｉｌ（約３．３ｍｍ×３．３ｍｍ）である。中央ダイオード２１に設けられるチップ３２の面積Ｓ２は、長×幅＝１５０ｍｉｌ×１５０ｍｉｌ（約３．８１ｍｍ×３．８１ｍｍ）である（１０００ｍｉｌ＝１インチ、ｍｉｌはダイオードの一般的な寸法単位である）。中央ダイオード２１の第２チップ３２の面積は両端ダイオード２２の第１チップ３１よりも大きく、発熱を低減しつつ、コストの増加を抑制することができる。
【００１６】
実施例２
図３に示されるように、本実施例の箱本体内には、太陽電池を接続するための４つの導電片１が設けられている。隣接の導電片１同士は、ダイオードで接続され、全部で３つのダイオードが接続を行っている。両端にある導電片１はそれぞれ母線を介して外部と接続されている。そのうち、中央ダイオード２１には、２つの第１チップ３１が並列に設けられている。両端ダイオード２２の第１チップ３１の面積Ｓ１は、長×幅＝１３０ｍｉｌ×１３０ｍｉｌ（約３．３ｍｍ×３．３ｍｍ）であり、面積Ｓ３は、長×幅＝１３０ｍｉｌ×１３０ｍｉｌ（約３．３ｍｍ×３．３ｍｍ）である。中央ダイオード２１に設けられるチップ３２の面積Ｓ２は、２×Ｓ１＝２×長×幅＝２×１３０ｍｉｌ×１３０ｍｉｌ（約２×３．３ｍｍ×３．３ｍｍ）である（１０００ｍｉｌ＝１インチ、ｍｉｌはダイオードの一般的な寸法単位である）。中央ダイオード２１における２つの第１チップ３１の合計放熱面積は、両端ダイオード２２のチップの面積よりも大きく、発熱を低減しつつ、コストの増加を抑制することができる。
【００１７】
実施例３
図４に示されるように、本実施例の箱本体内には、太陽電池を接続するための４つの導電片１が設けられている。隣接の導電片１同士は、ダイオードで接続され、全部で３つのダイオードが接続を行っている。両端にある導電片１はそれぞれ母線を介して外部と接続されている。そのうち、中央ダイオード２１における第３チップ３３の表面には、溝３４が設けられており、この溝３４により第３チップ３３の面積を増大させる。第３チップ３３の面積は、両端ダイオード２２における第１チップ３１の面積よりも大きく、発熱を低減しつつ、コストの増加を抑制することができる。
【符号の説明】
【００１８】
１…導電片、２…ダイオード、２１…中間ダイオード、２２…両端ダイオード、３１…第１チップ、３２…第２チップ、３３…第３チップ、３４…溝
【図１】
0006374041.tif 000004
【図２】
0006374041.tif 000005
【図３】
0006374041.tif 000006
【図４】
0006374041.tif 000007
【図５】
0006374041.tif 000008